(57)【要約】  円筒部材の保守装置は、網状のスチールケーブル等の円筒部材（１３）の周囲を閉じるための２つのヒンジで連結されている半ハウジング（１１、１２）から成るハウジング（１０）を備えている。回転螺旋ブラシアセンブリ（２１）及び回転縦ブラシアセンブリ（２２）がハウジング内に配置されており、ハウジングの軸を中心として回転可能である。各回転ブラシアセンブリは、同軸の分割リング（２３、２６）を備え、分割リングの間には、回転円筒ワイヤブラシ（２５、２８）が接続され、それ自体の軸を中心として独立して回転可能である。ノズル（２９）は、円筒部材に洗浄液又はペンキを吹き付けるために、ハウジング内部に配置されている。ハウジングの開口部（３２）は、環境汚染を避けるために、破片、洗浄液、及びペンキを除去するための吸引装置に接続するためのものである。ハウジング上のループ（１８）は、ハウジングを円筒部材に沿って動かすためにケーブルに取り付けるためのものである。
2009524519.tif 000002
【特許請求の範囲】
【請求項１】
ハウジング、
円筒部材と係合して円筒部材を洗浄するための、ハウジング内に設けられた複数の回転可能なブラシ、及び
円筒部材を洗浄した後で円筒部材に新しいペンキを塗布するための、ハウジング内に設けられた１つ以上のノズル
を備える、円筒部材の保守装置。
【請求項２】
環境を汚染することなく汚染物質を安全に除去する吸引装置に接続するための１つ以上の開口部をハウジング内に更に備える、請求項１に記載の円筒部材の保守装置。
【請求項３】
ハウジングが円筒部材に沿って第１方向に動くことにより円筒部材を洗浄し、円筒部材に沿ってほぼ反対の第２方向に動くことにより円筒部材にペンキを塗布する、請求項１に記載の円筒部材の保守装置。
【請求項４】
円筒部材が網状スチールケーブルを備える、請求項１に記載の円筒部材の保守装置。
【請求項５】
ノズルが、円筒部材に洗浄液を吹き付けるためにも使用される、請求項１に記載の円筒部材の保守装置。
【請求項６】
回転可能なブラシが螺旋状に配置されている、請求項１に記載の円筒部材の保守装置。
【請求項７】
回転可能なブラシがそれ自体の軸を中心として単独で回転可能である、請求項１に記載の円筒部材の保守装置。
【請求項８】
ハウジング、
円筒部材と係合して円筒部材を洗浄するための、ハウジング内部に設けられた複数の回転可能なブラシ、及び
環境を汚染することなく汚染物質を安全に除去する吸引装置に接続するためのハウジング内の１つ以上の開口部
を備える、円筒部材の保守装置。
【請求項９】
円筒部材を洗浄した後で円筒部材に新しいペンキを塗布するための、ハウジング内に設けられた１つ以上のノズルを更に備える、請求項８に記載の円筒部材の保守装置。
【請求項１０】
ハウジングが、円筒部材に沿って第１方向に動くことにより円筒部材を洗浄し、円筒部材に沿ってほぼ反対の第２方向に動くことにより円筒部材にペンキを塗布する、請求項９に記載の円筒部材の保守装置。
【請求項１１】
ノズルが円筒部材に洗浄液を吹き付けるためにも使用される、請求項９に記載の円筒部材の保守装置。
【請求項１２】
回転可能なブラシが円筒部材の螺旋状の溝に合わせて傾いている、請求項８に記載の円筒部材の保守装置。
【請求項１３】
回転可能なブラシと溝の間の摩擦により、ブラシがそれ自体の軸を中心として互いに独立して回転する、請求項１１に記載の円筒部材の保守装置。
【請求項１４】
ハウジング、
円筒部材と係合して円筒部材を洗浄するための、ハウジング内部に設けられた複数の回転可能なブラシ、
円筒部材を洗浄した後で円筒部材に新しいペンキを塗布するための、ハウジング内部に設けられた１つ以上のノズル、及び
環境を汚染することなく汚染物質を安全に除去する吸引装置に接続するための、ハウジングの１つ以上の開口部
を備える、円筒部材の保守装置。
【請求項１５】
ハウジングが、円筒部材に沿って第１方向に動くことにより円筒部材を洗浄し、円筒部材に沿ってほぼ反対の第２方向に動くことにより円筒部材にペンキを塗布する、請求項１４に記載の円筒部材の保守装置。
【請求項１６】
ノズルが円筒部材に洗浄液を吹き付けるためにも使用される、請求項１４に記載の円筒部材の保守装置。
【請求項１７】
回転可能なブラシが螺旋状に配置されている、請求項１４に記載の円筒部材の保守装置。
【請求項１８】
回転可能なブラシが円筒部材の螺旋状の溝に合わせて傾いている、請求項１４に記載の円筒部材の保守装置。
【請求項１９】
回転可能なブラシが螺旋状に配置されている、請求項１４に記載の円筒部材の保守装置。
【請求項２０】
円筒部材が網状スチールケーブルを備える、請求項１４に記載の円筒部材の保守装置。
【請求項２１】
円筒部材の周囲に配置するための、互いに同軸の第１リング及び第２リング、
前記第１リングと前記第２リングの間に接続されており、前記第１リングと前記第２リングの共通の軸の周囲に配置された回転円筒ブラシであって、それぞれの軸を中心に単独で回転可能な回転円筒ブラシ、並びに
前記第１リングと前記第２リングの周囲に配置されたハウジングであって、前記第１リングと前記第２リングが前記ハウジング内部において前記ハウジングの軸を中心として同時に回転可能であるハウジング
を備える、円筒部材の保守装置。
【請求項２２】
円筒部材周囲を開閉するための２つの半ハウジングを備えるハウジング、及び前記ハウジング内に配置されて前記ハウジングの軸の周囲を回転可能な回転ブラシアセンブリを備える円筒部材の保守装置であって、前記回転ブラシアセンブリが、スペーサーにより接続された同軸分割リングと、前記分割リングの共通軸の周囲に配置された回転円筒ブラシとを備え、前記ブラシがそれぞれの軸周囲を単独で回転可能であり、前記分割リングが各々前記円筒部材周囲を開閉するための２つの半リングを備えている、円筒部材の保守装置。
【請求項２３】
前記回転円筒ブラシが、前記円筒部材の螺旋状の溝と係合するために、螺旋状に配置されて傾いている、請求項２２に記載の円筒部材の保守装置。
【請求項２４】
前記回転円筒ブラシが、前記円筒部材の隆起した凸部と係合するために、前記分割リングの前記共通軸に対して平行である、請求項２２に記載の円筒部材の保守装置。
【請求項２５】
前記円筒部材に物質を吹き付けるために前記物質の加圧源に接続する、前記ハウジング内部に配置されたノズルを更に含む、請求項２２に記載の円筒部材の保守装置。
【請求項２６】
外部環境の汚染を避けるために、前記ハウジング内に、前記ハウジング内部から汚染物質を除去する吸引装置に接続するための吸引口を更に含む、請求項２２に記載の円筒部材の保守装置。
【請求項２７】
円筒部材に沿ってハウジングを動かすために、前記ハウジング上に、ケーブルに取り付けるためのループを更に含み、前記ループが、前記ハウジングが円筒部材の周囲で回転するのを防ぐために、前記ハウジングの両側に配置されている、請求項２２に記載の円筒部材の保守装置。
【請求項２８】
円筒部材周囲を閉じるための２つの半ハウジングを備えるハウジングと、前記円筒部材をハウジング内で正しく配置するための前記ハウジング内の分割整列リングであって、各々がそれぞれの半ハウジングに取り付けられた２つの半リングを備えており、前記円筒部材の周囲を開閉するために配置されている前記分割整列リングと、前記ハウジング内に配置されてハウジングの軸を中心に回転可能な回転ブラシアセンブリであって、スペーサーにより接続されて軸方向に間隔を置いて配置された同軸の分割リング及び前記分割リングの共通軸の周囲に配置されている回転円筒ブラシを備え、前記分割リングの各々が前記円筒部材の周囲を開閉するための２つの半リングを備えており、前記回転円筒ブラシがそれぞれの軸を中心に単独で回転可能である回転ブラシアセンブリと、前記円筒部材に物質を吹き付けるための、前記ハウジング内部に配置されたノズルと、外部環境の汚染を避けるために、前記ハウジング内部から汚染物質を除去するための吸引装置に接続する前記ハウジングの吸引口とを備える、円筒部材の保守装置。
【請求項２９】
前記回転円筒ブラシが、前記円筒部材の螺旋状の溝と係合するために螺旋状に配置されて傾いている、請求項２８に記載の円筒部材の保守装置。
【請求項３０】
前記回転円筒ブラシが、前記円筒部材の隆起した凸部と係合するために、前記分割リングの前記共通軸に対して平行である、請求項２８に記載の円筒部材の保守装置。
【請求項３１】
円筒部材に沿ってハウジングを動かすために、前記ハウジング上に、ケーブルに取り付けるためのループを更に含み、前記ループが、前記ハウジングが円筒部材の周囲で回転するのを防ぐために、前記ハウジングの両側に配置されている、請求項２８に記載の円筒部材の保守装置。
【請求項３２】
前記ハウジングに取り付けられた分割密閉リングを更に含み、前記円筒部材との接触を避けるために、前記分割密閉リングが前記配置リングの各内径よりも大きい内径を有する、請求項２８に記載の円筒部材の保守装置。
【請求項３３】
互いに嵌合するために、前記回転ブラシアセンブリの前記分割リングの接触面にピンと穴、及び前記接触面を越えて延びる前記回転円筒ブラシを取り付けるための、前記接触面から延びる突出部を更に含む、請求項２８に記載の円筒部材の保守装置。
【発明の詳細な説明】
【技術分野】
【０００１】
本発明は、広く構造ケーブル及び他の円筒部材を洗浄するための装置に関するものである。
【背景技術】
【０００２】
つり橋に使われるようなタイプの網状のスチールケーブルは、硬い中心の周りに螺旋状に巻かれた複数の網状のより線からなっている。ケーブルは鋼鉄製であるため、さびを防ぐために定期的なメンテナンスが必要である。このメンテナンスには、表面の汚れ、さび及び古いペンキの除去、そしてきれいになった表面へのペンキの塗布が含まれる。
【０００３】
網状のスチールケーブルを洗浄する標準的な洗浄装置は、ケーブル周囲にワイヤブラシを配置するハウジングを備えている。洗浄装置がケーブルに沿って移動すると、ケーブルがワイヤブラシにより洗浄される。一部の洗浄装置は洗浄液を用いる。従来のケーブルクリーナーは、ケーブルの凸部、つまりより線の最外部を洗浄できるが、隣接したより線の間の溝の内部の深いところまでを洗浄することはできない。また、ワイヤブラシはすぐにすり減ってしまう。更に、破片と洗浄液が洗浄装置から飛び散って環境を汚染する。
【発明の開示】
【発明が解決しようとする課題】
【０００４】
本発明の円筒部材の保守装置の目的は以下の通りである。
・網状のスチールケーブル等の円筒部材を洗浄すること
・より良く洗浄するため、円筒部材へ洗浄液の吹き付けを行うこと
・ケーブルの凸部と溝を徹底的に洗浄すること
・洗浄後、円筒部材にペンキを塗布すること
・破片、洗浄液、又はペンキの環境への放出を回避すること
・ブラシの耐久性を改善すること
【課題を解決するための手段】
【０００５】
本発明の円筒部材の保守装置は、網状のスチールケーブル等の円筒部材の周囲を閉じるための２つの半ハウジングから成るハウジングを備えている。ハウジングのセンタリングリングが円筒部材の周囲にぴったりはまり、ハウジングを中央に配置すると共に、外部環境から内部を遮断する。回転螺旋ブラシアセンブリ及び回転縦ブラシアセンブリはハウジング内に配置され、ハウジングの軸を中心として回転可能である。回転螺旋ブラシアセンブリは、間に螺旋状に配列された円筒状のワイヤブラシが接続されている同軸のリングを備えている。回転縦ブラシアセンブリは、間に縦に配列された円筒状のワイヤブラシが接続されている同軸のリングを備えている。両ブラシアセンブリのブラシは、それ自体の軸を中心として単独で回転可能である。ノズルは、円筒部材に洗浄液又はペンキを吹き付けるために、ハウジング内部に配置されている。ハウジングの開口部は、環境汚染を避けるために、破片、洗浄液、及びペンキを除去するための吸引装置に接続するためのものである。ハウジング上のコネクタは、ハウジングを円筒部材に沿って動かすためにケーブルに取り付けるためのものである。
【実施例】
【０００６】
図１に、開放状態にある円筒部材の保守装置の斜視図を示す。この装置は、網状のスチールケーブルのような、円筒部材１３の周囲を閉じるための、ヒンジで連結した２つの半ハウジング１１及び１２から構成されるハウジング１０を備えている。洗浄装置は、パイプなどのほかのタイプの円筒部材の洗浄に使用することができる。半ハウジング１１及び１２は共に、円筒部材１３の周囲で閉じられた後に、掛け金１４でロックされる。
【０００７】
ハウジング内の分割整列リング１５及び１６は、円筒部材１３をハウジング内において正しく配置し、ハウジング１０の内部を外部環境から遮断する。分割密閉リング１７は、ハウジング１０の第１端部に配置される。密閉リング１７の内径は、円筒部材１３との接触を避けるために、配置リング１５及び１６の内径よりもわずかに大きくなっている。各リング１５〜１７は、半ハウジング１１及び１２にそれぞれ取り付けられた２つの半リング１９及び２０を備え、これによりリング１５〜１７は円筒部材１３の周囲で開閉することができる。
【０００８】
回転螺旋ブラシアセンブリ２１と回転縦ブラシアセンブリ２２は、ハウジング１０内に配置され、ハウジング１０の軸を中心として回転可能である。各タイプのブラシアセンブリの数は幾つでもよい。回転螺旋ブラシアセンブリ２１は、スペーサー２４によって接続された同軸の分割リング２３と、螺旋状に配列された回転円筒ワイヤブラシ２５を備えている。
【０００９】
回転縦ブラシアセンブリ２２は、縦方向に配列された、スペーサー２７によって接続された同軸の分割リング２６と円筒ワイヤブラシ２８を備えている。両方のブラシアセンブリのブラシは、それ自体の軸５７の周囲を、単独で回転可能である。各ブラシアセンブリは、円筒部材１３の周囲で開閉することができる。
【００１０】
ノズル２９は、流体を円筒部材１３に吹き付けるために、ハウジング１０内部の、ブラシアセンブリ２１と密閉リング１７の間の空間に配置されている。ノズル２９は、ハウジング１０の外部に取り付けられた分配室３１にホース３０によって接続されている。ハウジング１０の吸引口３２は、外部環境の汚染を避けるため、破片と廃液をハウジング１０の内部から除去する吸引装置（図示せず）に接続するためのものである。
【００１１】
図２に、円筒部材１３の周囲で閉じた状態の、円筒部材の保守装置を示す。分配室３１から延びたコネクタ３３は、洗浄液又はペンキ等の流体の加圧源（図示せず）に接続するように配置されている。バルブ３４及び圧力ゲージ３５も分配室３１に接続されている。ノズル２９（図１）によって流体が円筒部材１３に吹き付けられると、流体は、外部環境の汚染を避けるために、ハウジング１０内部に封入される。
【００１２】
吸引分配室３６は、吸引口２９（図１）に接続されている。吸引分配室３６上のコネクタ３７は、吸引装置（図示せず）に接続するために設けられている。ハウジング１０上のループ１８は、ハウジング１０を円筒部材１３に沿って移動させるために、ケーブル（図示せず）に取り付けるためのものである。ループ１８は、ハウジング１０が円筒部材１３の周りで回転するのを防ぐために、ハウジング１０の両側に配置されている。
【００１３】
円筒部材の保守装置がスチールケーブルを洗浄するために使用される際、装置はスチールケーブルに沿って上方向に移動する。円筒部材の保守装置がスチールケーブルにペンキを塗るために使用される時は、装置はスチールケーブルに沿って下方向に移動する。ペンキで塗られた部分は、スチールケーブルのペンキ塗りたての部分に接触するのを避けるために整列リング１５及び１６（図１）の穴よりもわずかに大きい穴を有する密閉リング１７だけを通過する。
【００１４】
図３は、この実施例においては螺旋状のより線３８を含む網状のスチールケーブルを備えた円筒部材１３の周囲に配置された、回転螺旋ブラシアセンブリ２１の断面図を示す。円筒ブラシ２５の数は、スチールケーブル内のより線３８の数と一致するように選択される。円筒ブラシ２５は、溝３９を洗浄するために、スチールケーブルの螺旋状のより線３８の間の螺旋状の溝３９に合わせて傾いている（図１参照）。
【００１５】
ハウジング１０がスチールケーブルに沿って移動すると、ブラシ２５が螺旋状の溝３９に沿って誘導されると共に、ブラシアセンブリ２１がスチールケーブルの軸の周りを回転する。溝３９の摩擦により、円筒ブラシ２５が、ブラシアセンブリ２１の回転とは反対の方向に、ブラシ自体の軸を中心として互いに独立して回転し、よってより良い洗浄が行われる。ブラシ２５がそれ自体の軸を中心として回転することにより、個々の毛が時々しかスチールケーブルと接触しないため、耐久性も向上する。
【００１６】
図４は、スチールケーブルの周りに位置する、回転縦ブラシアセンブリ２２の断面図を示す。円筒ブラシ２８はスチールケーブルの軸に合わせて配置され、スチールケーブルのより線の隆起部又は凸部４０と係合するように位置している。ブラシ２８は、螺旋状のより線３８により、ブラシ自体の軸を中心として回転する。
【００１７】
図５に、分解した回転螺旋ブラシアセンブリ２１を示す。分割リング２３はそれぞれ、２つの半リング４１及び４２に分離することができ、互いと嵌合する接触面にピン４３と穴４４を含む。分割リング２３はまた、接触面を越えて延びる傾斜した円筒ブラシ２５を取り付けるための、接触面から延びる突起部４５を含む。
【００１８】
図６に、円筒部材の保守装置の第２の実施形態を示す。この保守装置は、ピン４９及び穴５０により接合された２つの分離可能な半ハウジング４７及び４８から成るハウジング４６を備える。縦方向の回転円筒ブラシ５１は、ハウジング内部４６に、ハウジング４６の両端の分割リング５２及び５３の間に配置されている。ブラシ５１は、それ自体の軸５４を中心として単独で回転可能である。ハウジング４６は分割され、網状のスチールケーブル等の、円筒部材５５の周囲で閉じられる。ブラシ５１は、スチールケーブルと係合するように配置されている。ハウジング４６がスチールケーブルに沿って移動すると、ブラシ５１はスチールケーブルの螺旋状のより線５６によって回転する。
【００１９】
前述の説明は具体的なものであるが、本発明の範囲を限定するものではなく、単に好ましい実施形態の一例である。本発明の教示の範囲内において、多様な変形が可能である。特に指定が無い限り、例えば、異なる取り付け方法、ファスナー、材料、寸法などが使用できる。要素の相対位置を変化させることができ、要素の形状を変化させることができる。従って、本発明の範囲は、本明細書に提示した実施例によってではなく、請求の範囲及びその法律的均等物によって決定される。
【図面の簡単な説明】
【００２０】
【図１】開放状態にある円筒部材の保守装置の斜視図である。
【図２】閉鎖状態にある円筒部材の保守装置の斜視図である。
【図３】図２の線３−３に沿った、円筒部材の保守装置の断面図である。
【図４】図２の線４−４に沿った、円筒部材の保守装置の断面図である。
【図５】分解した回転螺旋ブラシアセンブリの斜視図である。
【図６】円筒部材の保守装置の第２の実施形態の斜視図である。
【符号の説明】
【００２１】
１０    ハウジング
１１    半ハウジング
１２    半ハウジング
１３    円筒部材
１４    掛け金
１５    整列リング
１６    整列リング
１７    密閉リング
１８    ループ
１９    半リング
２０    半リング
２１    螺旋ブラシアセンブリ
２２    縦ブラシアセンブリ
２３    分割リング
２４    スペーサー
２５    ワイヤブラシ
２６    分割リング
２７    スペーサー
２８    ワイヤブラシ
２９    ノズル
３０    ホース
３１    分配室
３２    吸引口
３３    コネクタ
３４    バルブ
３５    圧力ゲージ
３６    分配室
３７    コネクタ
３８    螺旋状のより線
３９    溝
４０    凸部
４１    半リング
４２    半リング
４３    ピン
４４    穴
４５    突起部
４６    ハウジング
４７    半ハウジング
４８    半ハウジング
４９    ピン
５０    穴
５１    ブラシ
５２    分割リング
５３    分割リング
５４    軸
５５    円筒部材
５６    螺旋状のより線
５７    軸
【図１】
2009524519.tif 000003
【図２】
2009524519.tif 000004
【図３】
2009524519.tif 000005
【図４】
2009524519.tif 000006
【図５】
2009524519.tif 000007
【図６】
2009524519.tif 000008
【手続補正書】
【提出日】平成21年1月7日(2009.1.7)
【手続補正１】
【補正対象書類名】特許請求の範囲
【補正対象項目名】全文
【補正方法】変更
【補正の内容】
【特許請求の範囲】
【請求項１】
ハウジング、  円筒部材と係合して円筒部材を洗浄するための、ハウジング内に設けられた複数の回転可能なブラシ、及び  円筒部材を洗浄した後で円筒部材に新しいペンキを塗布するための、ハウジング内に設けられた１つ以上のノズルを備える、円筒部材の保守装置。
【請求項２】
環境を汚染することなく汚染物質を安全に除去する吸引装置に接続するための１つ以上の開口部をハウジング内に更に備える、請求項１に記載の円筒部材の保守装置。
【請求項３】
ハウジングが円筒部材に沿って第１方向に動くことにより円筒部材を洗浄し、円筒部材に沿ってほぼ反対の第２方向に動くことにより円筒部材にペンキを塗布する、請求項１に記載の円筒部材の保守装置。
【請求項４】
円筒部材が網状スチールケーブルを備える、請求項１に記載の円筒部材の保守装置。
【請求項５】
ノズルが、円筒部材に洗浄液を吹き付けるためにも使用される、請求項１に記載の円筒部材の保守装置。
【請求項６】
回転可能なブラシが螺旋状に配置されている、請求項１に記載の円筒部材の保守装置。
【請求項７】
回転可能なブラシがそれ自体の軸を中心として単独で回転可能である、請求項１に記載の円筒部材の保守装置。
【請求項８】
ハウジング、  円筒部材と係合して円筒部材を洗浄するための、ハウジング内部に設けられた複数の回転可能なブラシ、及び  環境を汚染することなく汚染物質を安全に除去する吸引装置に接続するためのハウジング内の１つ以上の開口部を備える、円筒部材の保守装置。
【請求項９】
円筒部材を洗浄した後で円筒部材に新しいペンキを塗布するための、ハウジング内に設けられた１つ以上のノズルを更に備える、請求項８に記載の円筒部材の保守装置。
【請求項１０】
ハウジングが、円筒部材に沿って第１方向に動くことにより円筒部材を洗浄し、円筒部材に沿ってほぼ反対の第２方向に動くことにより円筒部材にペンキを塗布する、請求項９に記載の円筒部材の保守装置。
【請求項１１】
ノズルが円筒部材に洗浄液を吹き付けるためにも使用される、請求項９に記載の円筒部材の保守装置。
【請求項１２】
回転可能なブラシが円筒部材の螺旋状の溝に合わせて傾いている、請求項８に記載の円筒部材の保守装置。
【請求項１３】
回転可能なブラシと溝の間の摩擦により、ブラシがそれ自体の軸を中心として互いに独立して回転する、請求項１１に記載の円筒部材の保守装置。
【請求項１４】
ハウジング、  円筒部材と係合して円筒部材を洗浄するための、ハウジング内部に設けられた複数の回転可能なブラシ、  円筒部材を洗浄した後で円筒部材に新しいペンキを塗布するための、ハウジング内部に設けられた１つ以上のノズル、及び  環境を汚染することなく汚染物質を安全に除去する吸引装置に接続するための、ハウジングの１つ以上の開口部を備える、円筒部材の保守装置。
【請求項１５】
ハウジングが、円筒部材に沿って第１方向に動くことにより円筒部材を洗浄し、円筒部材に沿ってほぼ反対の第２方向に動くことにより円筒部材にペンキを塗布する、請求項１４に記載の円筒部材の保守装置。
【請求項１６】
ノズルが円筒部材に洗浄液を吹き付けるためにも使用される、請求項１４に記載の円筒部材の保守装置。
【請求項１７】
回転可能なブラシが螺旋状に配置されている、請求項１４に記載の円筒部材の保守装置。
【請求項１８】
回転可能なブラシが円筒部材の螺旋状の溝に合わせて傾いている、請求項１４に記載の円筒部材の保守装置。
【請求項１９】
円筒部材が網状スチールケーブルを備える、請求項１４に記載の円筒部材の保守装置。
【請求項２０】
円筒部材の周囲に配置するための、互いに同軸の第１リング及び第２リング、  前記第１リングと前記第２リングの間に接続されており、前記第１リングと前記第２リングの共通の軸の周囲に配置された回転円筒ブラシであって、それぞれの軸を中心に単独で回転可能な回転円筒ブラシ、並びに  前記第１リングと前記第２リングの周囲に配置されたハウジングであって、前記第１リングと前記第２リングが前記ハウジング内部において前記ハウジングの軸を中心として同時に回転可能であるハウジングを備える、円筒部材の保守装置。
【請求項２１】
円筒部材周囲を開閉するための２つの半ハウジングを備えるハウジング、及び前記ハウジング内に配置されて前記ハウジングの軸の周囲を回転可能な回転ブラシアセンブリを備える円筒部材の保守装置であって、前記回転ブラシアセンブリが、スペーサーにより接続された同軸分割リングと、前記分割リングの共通軸の周囲に配置された回転円筒ブラシとを備え、前記ブラシがそれぞれの軸周囲を単独で回転可能であり、前記分割リングが各々前記円筒部材周囲を開閉するための２つの半リングを備えている、円筒部材の保守装置。
【請求項２２】
前記回転円筒ブラシが、前記円筒部材の螺旋状の溝と係合するために、螺旋状に配置されて傾いている、請求項２１に記載の円筒部材の保守装置。
【請求項２３】
前記回転円筒ブラシが、前記円筒部材の隆起した凸部と係合するために、前記分割リングの前記共通軸に対して平行である、請求項２１に記載の円筒部材の保守装置。
【請求項２４】
前記円筒部材に物質を吹き付けるために前記物質の加圧源に接続する、前記ハウジング内部に配置されたノズルを更に含む、請求項２１に記載の円筒部材の保守装置。
【請求項２５】
外部環境の汚染を避けるために、前記ハウジング内に、前記ハウジング内部から汚染物質を除去する吸引装置に接続するための吸引口を更に含む、請求項２１に記載の円筒部材の保守装置。
【請求項２６】
円筒部材に沿ってハウジングを動かすために、前記ハウジング上に、ケーブルに取り付けるためのループを更に含み、前記ループが、前記ハウジングが円筒部材の周囲で回転するのを防ぐために、前記ハウジングの両側に配置されている、請求項２１に記載の円筒部材の保守装置。
【請求項２７】
円筒部材周囲を閉じるための２つの半ハウジングを備えるハウジングと、前記円筒部材をハウジング内で正しく配置するための前記ハウジング内の分割整列リングであって、各々がそれぞれの半ハウジングに取り付けられた２つの半リングを備えており、前記円筒部材の周囲を開閉するために配置されている前記分割整列リングと、前記ハウジング内に配置されてハウジングの軸を中心に回転可能な回転ブラシアセンブリであって、スペーサーにより接続されて軸方向に間隔を置いて配置された同軸の分割リング及び前記分割リングの共通軸の周囲に配置されている回転円筒ブラシを備え、前記分割リングの各々が前記円筒部材の周囲を開閉するための２つの半リングを備えており、前記回転円筒ブラシがそれぞれの軸を中心に単独で回転可能である回転ブラシアセンブリと、前記円筒部材に物質を吹き付けるための、前記ハウジング内部に配置されたノズルと、外部環境の汚染を避けるために、前記ハウジング内部から汚染物質を除去するための吸引装置に接続する前記ハウジングの吸引口とを備える、円筒部材の保守装置。
【請求項２８】
前記回転円筒ブラシが、前記円筒部材の螺旋状の溝と係合するために螺旋状に配置されて傾いている、請求項２７に記載の円筒部材の保守装置。
【請求項２９】
前記回転円筒ブラシが、前記円筒部材の隆起した凸部と係合するために、前記分割リングの前記共通軸に対して平行である、請求項２７に記載の円筒部材の保守装置。
【請求項３０】
円筒部材に沿ってハウジングを動かすために、前記ハウジング上に、ケーブルに取り付けるためのループを更に含み、前記ループが、前記ハウジングが円筒部材の周囲で回転するのを防ぐために、前記ハウジングの両側に配置されている、請求項２７に記載の円筒部材の保守装置。
【請求項３１】
前記ハウジングに取り付けられた分割密閉リングを更に含み、前記円筒部材との接触を避けるために、前記分割密閉リングが前記配置リングの各内径よりも大きい内径を有する、請求項２７に記載の円筒部材の保守装置。
【請求項３２】
互いに嵌合するために、前記回転ブラシアセンブリの前記分割リングの接触面にピンと穴、及び前記接触面を越えて延びる前記回転円筒ブラシを取り付けるための、前記接触面から延びる突出部を更に含む、請求項２７に記載の円筒部材の保守装置。
【国際調査報告】
2009524519.tif 000009
2009524519.tif 000010
2009524519.tif 000011
2009524519.tif 000012
2009524519.tif 000013
2009524519.tif 000014